(57)【要約】【課題】本発明は家庭用引き出しタンス装置を開示した。【解決手段】台座を含み、前記台座の内部に回転筐体が設置され、前記回転筐体の上端壁の左右両端に対称に滑り移動溝が設置され、前記滑り移動溝が回転筐体と配置台と連結し、前記配置台と台座が滑り移動溝を通じて摺動可能なように係合し接続し、前記回転筐体の前端壁に配置穴が設置され、前記配置穴の前端壁に第一電動機が固定的に接続され、前記配置穴の前端壁にスルーホールが設置され、前記スルーホールが配置穴と回転筐体をつなげ、前記第一電動機に前端がスルーホールを通り抜ける回転ピンAが動力が伝達可能なように接続され、前記回転ピンAの前端に固定的に接続する円錐形プーリーAが設置され、前記円錐形プーリーAにそれと係合し接続する円錐形プーリーBが設置される。【選択図】図3
2019181911.tif 000002
【特許請求の範囲】
【請求項１】
家庭用引き出しタンス装置であって、台座を含み、前記台座の内部に回転筐体が設置され、前記回転筐体の上端壁の左右両端に対称に滑り移動溝が設置され、前記滑り移動溝が回転筐体と配置台と連結し、前記配置台と台座が滑り移動溝を通じて摺動可能なように係合し接続し、前記回転筐体の前端壁に配置穴が設置され、前記配置穴の前端壁に第一電動機が固定的に接続され、前記配置穴の前端壁にスルーホールが設置され、前記スルーホールが配置穴と回転筐体をつなげ、前記第一電動機に前端がスルーホールを通り抜ける回転ピンAが動力が伝達可能なように接続され、前記回転ピンAの前端に固定的に接続する円錐形プーリーAが設置され、前記円錐形プーリーAにそれと係合し接続する円錐形プーリーBが設置され、前記円錐形プーリーBの中心にそれと固定し接続する回転ピンAが設置され、前記回転ピンAが回転筐体の左右両端壁と回転可能なように接続し、前記回転ピンAの一番左端に固定的に接続する第一同期輪が設置され、前記第一同期輪の前端にベルトを通じて駆動する第二同期輪が設置され、前記第二同期輪の中心にそれと固定し接続する回転ピンBが設置され、前記回転ピンAと回転ピンBに左右に対称にギアAが設置され、前記配置台の下端面に左右両端が対称的に二つのギア溝が設置され、前記ギアAがギア溝と転動し接続し、前記回転ピンAと回転ピンBに左右に対等にベアリングが設置され、前記台座の上端面の左右両端に対称的に支持レバーが設置され、前記支持レバーの上端面に二つのそれと固定的に接続する固定連結ブロックが設置され、前記固定連結ブロックに油圧溝が設置され、左側の油圧溝の上端面に油圧穴Aが設置され、右側の油圧溝の上端面に油圧穴Bが設置され、前記油圧穴Aと油圧穴Bに電気制御バルブが設置され、前記油圧穴Aと油圧穴Bに中空管が設置されそれらを連結し、前記中空管の中心に油圧ポンプが設置され、左右両側の油圧溝に押し柱が設置され、前記押し柱の中心に彫刻装置が固定的に接続し、前記彫刻装置が配置箱を含み、前記配置箱に筐体が設置され、前記筐体の上端面に第二電動機が設置され、前記第二電動機の下端に回転ピンBが設置され、前記回転ピンBの下端にそれと固定し接続する円錐形プーリーCが設置され、前記円錐形プーリーCの下にそれと係合し接続する円錐形プーリーDが設置され、前記円錐形プーリーDの中心にそれと固定的に接続する回転ピンCが設置され、前記回転ピンCが筐体の左右端壁と回転可能なように接続し、前記回転ピンCに前記円錐形プーリーDの左側に位置するギアBが固定的に取り付けられ、前記ギアBの下にそれと係合し接続するギアCが設置され、前記ギアCの中心にそれと固定的に接続する回転ピンDが設置され、前記回転ピンDが筐体の左右端壁と回転可能なように接続し、前記回転ピンDに前記ギアCの右側に位置するカムが固定的に取り付けられ、前記カムの下端面に滑り移動レバーが設置され、前記滑り移動レバーの上端に左右に対称的に案内移動ブロックが設置され、前記筐体の壁が案内移動ブロックと対応する位置に案内移動溝が設置され、前記案内移動ブロックが案内移動溝に位置し上下に滑り移動でき、前記案内移動溝の上端壁に座ぐり溝が設置され、前記座ぐり溝の上端壁に弾性件が固定的に接続され、前記弾性件の下端が座ぐり溝を通��抜けて案内移動ブロックと固定的に接続し、前記滑り移動レバーの下端が筐体を通り抜けてレーザー彫刻端が固定的に接続され、前記配置台の上端面に均等に分布する多くのねじ回転構造が設置され、前記ねじ回転構造が前記配置台に設置される回転筐体を含み、前記回転筐体に回転ボルトと固定的に接続するギアDが設置され、前記ギアDの右側にそれと係合し接続するギアEが設置され、前記ギアEの中心にそれと固定的に接続する套管が設置され、前記套管の内部にねじ穴が設置され、前記ねじ穴にねじレバーが係合し接続され、前記ねじレバーの下端面に四角形溝が設置され、前記四角形溝に前記ねじレバーの下端面と固定的に接続する遮蔽板が滑り移動し係合され、その作用はねじレバーが上下に運動することを保証し、ねじレバーが回転し運動することを防ぎ、前記ねじレバーが配置台と接続する所に固定的に接続する固定連結板が設置され、前記弾性件の弾力が滑り移動レバーとレーザー彫刻端の重量の和より大きく、前記回転ボルトの上端に留め具が嵌着されることを特徴とする家庭用引き出しタンス装置。
【発明の詳細な説明】
【技術分野】
【０００１】
本発明は引き出しタンス加工生産分野に関し、具体的には家庭用引き出しタンス装置に関する。
【背景技術】
【０００２】
家庭用引き出しタンスを加工し生産する時に彫刻する必要があり、伝統的な彫刻装置が全方位に移動できなく、彫刻限定性が大きく、そして伝統的な彫刻装置が家庭用引き出しタンスを彫刻する時に固定しにくく、彫刻効果に深刻な影響がある。
【先行技術文献】
【特許文献】
【０００３】
【特許文献１】中国特許出願公開第101771245号明細書
【発明の概要】
【発明が解決しようとする課題】
【０００４】
本発明の目的は家庭用引き出しタンス装置を提供し、上記の背景技術で説明した問題を解決する。
【課題を解決するための手段】
【０００５】
上記の目的を実現するため、本発明は下記の技術方案を採用する。家庭用引き出しタンス装置は台座を含み、前記台座の内部に回転筐体が設置され、前記回転筐体の上端壁の左右両端に対称に滑り移動溝が設置され、前記滑り移動溝が回転筐体と配置台と連結し、前記配置台と台座が滑り移動溝を通じて摺動可能なように係合し接続し、前記回転筐体の前端壁に配置穴が設置され、前記配置穴の前端壁に第一電動機が固定的に接続され、前記配置穴の前端壁にスルーホールが設置され、前記スルーホールが配置穴と回転筐体をつなげ、前記第一電動機に前端がスルーホールを通り抜ける回転ピンAが動力が伝達可能なように接続され、前記回転ピンAの前端に固定的に接続する円錐形プーリーAが設置され、前記円錐形プーリーAにそれと係合し接続する円錐形プーリーBが設置され、前記円錐形プーリーBの中心にそれと固定し接続する回転ピンAが設置され、前記回転ピンAが回転筐体の左右両端壁と回転可能なように接続し、前記回転ピンAの一番左端に固定的に接続する第一同期輪が設置され、前記第一同期輪の前端にベルトを通じて駆動する第二同期輪が設置され、前記第二同期輪の中心にそれと固定し接続する回転ピンBが設置され、前記回転ピンAと回転ピンBに左右に対称にギアAが設置され、前記配置台の下端面に左右両端が対称的に二つのギア溝が設置され、前記ギアAがギア溝と転動し接続し、前記回転ピンAと回転ピンBに左右に対等にベアリングが設置され、前記台座の上端面の左右両端に対称的に支持レバーが設置され、前記支持レバーの上端面に二つのそれと固定的に接続する固定連結ブロックが設置され、前記固定連結ブロックに油圧溝が設置され、左側の油圧溝の上端面に油圧穴Aが設置され、右側の油圧溝の上端面に油圧穴Bが設置され、前記油圧穴Aと油圧穴Bに電気制御バルブが設置され、前記油圧穴Aと油圧穴Bに中空管が設置されそれらを連結し、前記中空管の中心に油圧ポンプが設置され、左右両側の油圧溝に押し柱が設置され、前記押し柱の中心に彫刻装置が固定的に接続し、前記彫刻装置が配置箱を含み、前記配置箱に筐体が設置され、前記筐体の上端面に第二電動機が設置され、前記第二電動機の下端に回転ピンBが設置され、前記回転ピンBの下端にそれと固定し接続する円錐形プーリーCが設置され、前記円錐形プーリーCの下にそれと係合し接続する円錐形プーリーDが設置され、前記円錐形プーリーDの中心にそれと固定的に接続する回転ピンCが設置され、前記回転ピンCが筐体の左右端壁と回転可能なように接続し、前記回転ピンCに前記円錐形プーリーDの左側に位置するギアBが固定的に取り付けられ、前記ギアBの下にそれと係合し接続するギアCが設置され、前記ギアCの中心にそれと固定的に接続する回転ピンDが設置され、前記回転ピンDが筐体の左右端壁と回転可能なように接続し、前記回転ピンDに前記ギアCの右側に位置するカムが固定的に取り付けられ、前記カムの下端面に滑り移動レバーが設置され、前記滑り移動レバーの上端に左右に対称的に案内移動ブロックが設置され、前記筐体の壁が案内移動ブロックと対応する位置に案内移動溝が設置され、前記案内移動ブロックが案内移動溝に位置し上下に滑り移動でき、前記案内移動溝の上端壁に座ぐり溝が設置され、前記座ぐり溝の上端壁に弾性��が固定的に接続され、前記弾性件の下端が座ぐり溝を通り抜けて案内移動ブロックと固定的に接続し、前記滑り移動レバーの下端が筐体を通り抜けてレーザー彫刻端が固定的に接続され、前記配置台の上端面に均等に分布する多くのねじ回転構造が設置され、前記ねじ回転構造が前記配置台に設置される回転筐体を含み、前記回転筐体に回転ボルトと固定的に接続するギアDが設置され、前記ギアDの右側にそれと係合し接続するギアEが設置され、前記ギアEの中心にそれと固定的に接続する套管が設置され、前記套管の内部にねじ穴が設置され、前記ねじ穴にねじレバーが係合し接続され、前記ねじレバーの下端面に四角形溝が設置され、前記四角形溝に前記ねじレバーの下端面と固定的に接続する遮蔽板が滑り移動し係合され、その作用はねじレバーが上下に運動することを保証し、ねじレバーが回転し運動することを防ぎ、前記ねじレバーが配置台と接続する所に固定的に接続する固定連結板が設置される。
【０００６】
好ましい技術方案として前記弾性件の弾力が滑り移動レバーとレーザー彫刻端の重量の和よりはるかに大きい。
【０００７】
好ましい技術方案として前記回転ボルトの上端に留め具が嵌着される。
【０００８】
現在の技術と比べ、本発明の有益な効果は、本発明が作業する時に、引き出しタンスを配置台の上に置いて、支持点がある所のねじ回転構造を選択し、回転ボルトを回転し、回転ボルトが回転しギアDとギアEと連動して回転し、これによりねじレバーと連動して下に移動し、留め具と固定連結板が挟持構造を形成し、引き出しタンスをしっかり固定し、引き出しタンスが加工される時に移動し、加工が失敗で引き起こす原材料の浪費を防ぎ、加工する過程の品質を有効的に保証でき、使用する時に、第一電動機が作業し、回転ピンAが回転し、円錐形プーリーAと円錐形プーリーBが係合し伝動し、回転ピンAと連動して回転し、これにより回転ピンAの二つの従動支持ギアと連動して回転し、ベルトを通じて回転ピンAが回転し第二同期輪と第一同期輪と連動して同じ方向に回転し、これにより回転ピンBと連動して回転し、回転ピンBが回転し回転ピンBの二つのギアAと連動して回転し、四つのギアAが同じ方向に回転し、配置台と連動して前後に移動し、油圧ポンプの作用で、電気制御バルブが開く状態になり、油圧溝の油圧の大きさの変化を実現し、押し柱の彫刻装置の左右移動と連動して、第二電動機が動作し、円錐形プーリーCと円錐形プーリーDが係合し伝動し、回転ピンCと連動して回転し、これによりギアBと連動して回転し、ギアBとギアCが噛み合い、ギアCが回転し、回転ピンDと連動して回転し、回転ピンDのカムと連動して回転し、カムと接触する滑り移動レバーがカムの回転と弾性件の弾性作用のもとで、案内移動ブロックを通じて、滑り移動レバーの昇降を実現し、滑り移動レバーと固定的に接続するレーザー彫刻端が昇降する。
【発明の効果】
【０００９】
現在の技術と比べ、本発明の有益な効果は、本発明が作業する時に、引き出しタンスを配置台の上に置いて、支持点がある所のねじ回転構造を選択し、回転ボルトを回転し、回転ボルトが回転しギアDとギアEと連動して回転し、これによりねじレバーと連動して下に移動し、留め具と固定連結板が挟持構造を形成し、引き出しタンスをしっかり固定し、引き出しタンスが加工される時に移動し、加工が失敗で引き起こす原材料の浪費を防ぎ、加工する過程の品質を有効的に保証でき、使用する時に、第一電動機が作業し、回転ピンAが回転し、円錐形プーリーAと円錐形プーリーBが係合し伝動し、回転ピンAと連動して回転し、これにより回転ピンAの二つの従動支持ギアと連動して回転し、ベルトを通じて回転ピンAが回転し第二同期輪と第一同期輪と連動して同じ方向に回転し、これにより回転ピンBと連動して回転し、回転ピンBが回転し回転ピンBの二つのギアAと連動して回転し、四つのギアAが同じ方向に回転し、配置台と連動して前後に移動し、油圧ポンプの作用で、電気制御バルブが開く状態になり、油圧溝の油圧の大きさの変化を実現し、押し柱の彫刻装置の左右移動と連動して、第二電動機が動作し、円錐形プーリーCと円錐形プーリーDが係合し伝動し、回転ピンCと連動して回転し、これによりギアBと連動して回転し、ギアBとギアCが噛み合い、ギアCが回転し、回転ピンDと連動して回転し、回転ピンDのカムと連動して回転し、カムと接触する滑り移動レバーがカムの回転と弾性件の弾性作用のもとで、案内移動ブロックを通じて、滑り移動レバーの昇降を実現し、滑り移動レバーと固定的に接続するレーザー彫刻端が昇降する。
【図面の簡単な説明】
【００１０】
【図１】図１は本発明の家庭用引き出しタンス装置の全体の正面構造概略図である。
【図２】図２は本発明の家庭用引き出しタンス装置の全体の台座の俯瞰構造概略図である。
【図３】図３は本発明の家庭用引き出しタンス装置の彫刻装置の全体の正面構造概略図である。
【図４】図４は本発明の家庭用引き出しタンス装置のねじ回転構造の全体の正面構造概略図である。
【発明を実施するための形態】
【００１１】
下記では本発明の実施例の中の図面を交え、本発明の実施例の技術方案を明確にはっきりと説明し、説明した実施例がただ本発明の一部分の実施例で、全部の実施例ではないということである。本発明の実施例に基づいて、本領域の当業者が創造的な労働を払わないことを前提に得る全部のその他の実施例は本発明の保護範囲に属する。
【００１２】
図1~4を参照し、本発明に係る実施例の家庭用引き出しタンス装置は台座1を含み、前記台座1の内部に回転筐体2が設置され、前記回転筐体2の上端壁の左右両端に対称に滑り移動溝3が設置され、前記滑り移動溝3が回転筐体2と配置台4と連結し、前記配置台4と台座1が滑り移動溝3を通じて摺動可能なように係合し接続し、前記回転筐体2の前端壁に配置穴5が設置され、前記配置穴5の前端壁に第一電動機6が固定的に接続され、前記配置穴5の前端壁にスルーホール7が設置され、前記スルーホール7が配置穴5と回転筐体2をつなげ、前記第一電動機6に前端がスルーホール7を通り抜ける回転ピンA8が動力が伝達可能なように接続され、前記回転ピンA8の前端に固定的に接続する円錐形プーリーA9が設置され、前記円錐形プーリーA9にそれと係合し接続する円錐形プーリーB10が設置され、前記円錐形プーリーB10の中心にそれと固定し接続する回転ピンA11が設置され、前記回転ピンA11が回転筐体の左右両端壁と回転可能なように接続し、前記回転ピンA11の一番左端に固定的に接続する第一同期輪12が設置され、前記第一同期輪12の前端にベルトを通じて駆動する第二同期輪13が設置され、前記第二同期輪13の中心にそれと固定し接続する回転ピンB14が設置され、前記回転ピンA11と回転ピンB14に左右に対称にギアA15が設置され、前記配置台4の下端面に左右両端が対称的に二つのギア溝16が設置され、前記ギアA15がギア溝16と転動し接続し、前記回転ピンA11と回転ピンB14に左右に対等にベアリング17が設置され、前記台座1の上端面の左右両端に対称的に支持レバー18が設置され、前記支持レバー18の上端面に二つのそれと固定的に接続する固定連結ブロック19が設置され、前記固定連結ブロック19に油圧溝20が設置され、左側の油圧溝20の上端面に油圧穴A21が設置され、右側の油圧溝20の上端面に油圧穴B22が設置され、前記油圧穴A21と油圧穴B22に電気制御バルブ23が設置され、前記油圧穴A21と油圧穴B22に中空管24が設置されそれらを連結し、前記中空管24の中心に油圧ポンプ25が設置され、左右両側の油圧溝20に押し柱26が設置され、前記押し柱26の中心に彫刻装置27が固定的に接続し、前記彫刻装置27が配置箱28を含み、前記配置箱28に筐体29が設置され、前記筐体29の上端面に第二電動機30が設置され、前記第二電動機30の下端に回転ピンB31が設置され、前記回転ピンB31の下端にそれと固定し接続する円錐形プーリーC32が設置され、前記円錐形プーリーC32の下にそれと係合し接続する円錐形プーリーD33が設置され、前記円錐形プーリーD33の中心にそれと固定的に接続する回転ピンC34が設置され、前記回転ピンC34が筐体29の左右端壁と回転可能なように接続し、前記回転ピンC34に前記円錐形プーリーD33の左側に位置するギアB35が固定的に取り付けられ、前記ギアB35の下にそれと係合し接続するギアC36が設置され、前記ギアC36の中心にそれと固定的に接続する回転ピンD37が設置され、前記回転ピンD37が筐体29の左右端壁と回転可能なように接続し、前記回転ピンD37に前記ギアC36の右側に位置するカム38が固定的に取り付けられ、前記カム38の下端面に滑り移動レバー39が設置され、前記滑り移動レバー39の上端に左右に対称的に案内移動ブロック40が設置され、前記筐体29の壁が案内移動ブロック40と対応する位置に案内移動溝41が設置され、前記案内移動ブロック40が案内移動溝41に位置し上下に滑り移動でき、前記案内移動溝41の上端壁に座ぐり溝42が設置され、前記座ぐり溝42の上端壁に弾性件43が固定的に接続され、前記弾性件43の下端が座ぐり溝42を通り抜けて案内移動ブロック40と固定的に接続し、前記滑り移動レバー39の下端が筐体29を通り抜けてレーザー彫刻端44が固定的に接続され、前記配置台4の上端面に均等に分布する多くのねじ回転構造45が設置され、前記ねじ回転構造45が前記配置台4に設置される回転筐体47を含み、前記回転筐体47に回転ボルト46と固定的に接続するギアD48が設置され、前記ギアD48の右側にそれと係合し接続するギアE49が設置され、前記ギアE49の中心にそれと固定的に接続する套管56が設置され、前記套管56の内部にねじ穴50が設置され、前記ねじ穴50にねじレバー51が係合し接続され、前記ねじレバー51の下端面に四角形溝52が設置され、前記四角形溝52に前記ねじレバー51の下端面と固定的に接続する遮蔽板53が滑り移動し係合され、その作用はねじレバーが上下に運動することを保証し、ねじレバーが回転し運動することを防ぎ、前記ねじレバー51が配置台4と接続する所に固定的に接続する固定連結板54が設置される。
【００１３】
好ましくは、前記弾性件43の弾力が滑り移動レバー39とレーザー彫刻端44の重量の和よりはるかに大きく、これにより弾性件43が弾力の作用のもとで滑り移動レバー39とレーザー彫刻端44と連動して上昇する。
【００１４】
好ましくは、前記回転ボルト46の上端に留め具55が嵌着され、その作用は、留め具55と固定連結板54が挟持構造を形成し、引き出しタンスをしっかり固定し、引き出しタンスが加工される時に移動し、加工が失敗で引き起こす原材料の浪費を防ぎ、加工する過程の品質を有効的に保証できる。
【００１５】
具体的な使用方式において、本発明が作業する時に、引き出しタンスを配置台4の上に置いて、支持点がある所のねじ回転構造44を選択し、回転ボルト45を回転し、回転ボルト45が回転しギアD46とギアE47と連動して回転し、これによりねじレバー49と連動して下に移動し、留め具53と固定連結板52が挟持構造を形成し、引き出しタンスをしっかり固定し、引き出しタンスが加工される時に移動し、加工が失敗で引き起こす原材料の浪費を防ぎ、加工する過程の品質を有効的に保証でき、使用する時に、第一電動機6が作業し、回転ピンA8が回転し、円錐形プーリーA9と円錐形プーリーB10が係合し伝動し、回転ピンA11と連動して回転し、これにより回転ピンA11の二つの従動支持ギア15と連動して回転し、ベルトを通じて回転ピンA11が回転し第二同期輪13と第一同期輪12と連動して同じ方向に回転し、これにより回転ピンB14と連動して回転し、回転ピンB14が回転し回転ピンB14の二つのギアA15と連動して回転し、四つのギアAが同じ方向に回転し、配置台4と連動して前後に移動し、油圧ポンプ25の作用で、電気制御バルブ23が開く状態になり、油圧溝20の油圧の大きさの変化を実現し、押し柱26の彫刻装置27の左右移動と連動して、第二電動機30が動作し、円錐形プーリーC32と円錐形プーリーD33が係合し伝動し、回転ピンC34と連動して回転し、これによりギアB35と連動して回転し、ギアB35とギアC36が噛み合い、ギアC36が回転し、回転ピンD37と連動して回転し、回転ピンD37のカム38と連動して回転し、カム38と接触する滑り移動レバー39がカム38の回転と弾性件43の弾性作用のもとで、案内移動ブロック40を通じて、滑り移動レバー39の昇降を実現し、滑り移動レバー39と固定的に接続するレーザー彫刻端44が昇降する。
【００１６】
本分野の技術者にとって、本発明は上記の模範の実施例の細部に限らなく、本発明の意義また基本的な特徴から背離しない状況で、その他の具体的な形式で本発明を実現できる。それゆえ、どこから見てもこの実施例を模範で制限性ではないことと見なして、本発明の範囲は添付の特許請求の範囲に確定され、特許請求の範囲と同等の意味範囲内にある全部の変化を本発明に包括させる。特許請求の範囲の中の全ての符号を特許請求の範囲を制限することとみなさない。
【図１】
2019181911.tif 000003
【図２】
2019181911.tif 000004
【図３】
2019181911.tif 000005
【図４】
2019181911.tif 000006
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
家庭用引出タンスの彫刻装置であって、台座を含み、前記台座の内部に回転筐体が設置され、前記回転筐体の上端壁の左右両端に対称に滑り移動溝が設置され、前記滑り移動溝が回転筐体と配置台と連結し、前記配置台と台座が滑り移動溝を通じて摺動可能なように係合し接続し、前記回転筐体の前端壁に配置穴が設置され、前記配置穴の前端壁に第一電動機が固定的に接続され、前記配置穴の前端壁にスルーホールが設置され、前記スルーホールが配置穴と回転筐体をつなげ、前記第一電動機に前端がスルーホールを通り抜ける回転ピンAが動力が伝達可能なように接続され、前記回転ピンAの前端に固定的に接続する円錐形プーリーAが設置され、前記円錐形プーリーAにそれと係合し接続する円錐形プーリーBが設置され、前記円錐形プーリーBの中心にそれと固定し接続する回転ピンAが設置され、前記回転ピンAが回転筐体の左右両端壁と回転可能なように接続し、前記回転ピンAの一番左端に固定的に接続する第一同期輪が設置され、前記第一同期輪の前端にベルトを通じて駆動する第二同期輪が設置され、前記第二同期輪の中心にそれと固定し接続する回転ピンBが設置され、前記回転ピンAと回転ピンBに左右に対称にギアAが設置され、前記配置台の下端面に左右両端が対称的に二つのギア溝が設置され、前記ギアAがギア溝と転動し接続し、前記回転ピンAと回転ピンBに左右に対等にベアリングが設置され、前記台座の上端面の左右両端に対称的に支持レバーが設置され、前記支持レバーの上端面に二つのそれと固定的に接続する固定連結ブロックが設置され、前記固定連結ブロックに油圧溝が設置され、左側の油圧溝の上端面に油圧穴Aが設置され、右側の油圧溝の上端面に油圧穴Bが設置され、前記油圧穴Aと油圧穴Bに電気制御バルブが設置され、前記油圧穴Aと油圧穴Bに中空管が設置されそれらを連結し、前記中空管の中心に油圧ポンプが設置され、左右両側の油圧溝に押し柱が設置され、前記押し柱の中心に彫刻装置が固定的に接続し、前記彫刻装置が配置箱を含み、前記配置箱に筐体が設置され、前記筐体の上端面に第二電動機が設置され、前記第二電動機の下端に回転ピンBが設置され、前記回転ピンBの下端にそれと固定し接続する円錐形プーリーCが設置され、前記円錐形プーリーCの下にそれと係合し接続する円錐形プーリーDが設置され、前記円錐形プーリーDの中心にそれと固定的に接続する回転ピンCが設置され、前記回転ピンCが筐体の左右端壁と回転可能なように接続し、前記回転ピンCに前記円錐形プーリーDの左側に位置するギアBが固定的に取り付けられ、前記ギアBの下にそれと係合し接続するギアCが設置され、前記ギアCの中心にそれと固定的に接続する回転ピンDが設置され、前記回転ピンDが筐体の左右端壁と回転可能なように接続し、前記回転ピンDに前記ギアCの右側に位置するカムが固定的に取り付けられ、前記カムの下端面に滑り移動レバーが設置され、前記滑り移動レバーの上端に左右に対称的に案内移動ブロックが設置され、前記筐体の壁が案内移動ブロックと対応する位置に案内移動溝が設置され、前記案内移動ブロックが案内移動溝に位置し上下に滑り移動でき、前記案内移動溝の上端壁に座ぐり溝が設置され、前記座ぐり溝の上端壁に弾性体が固定的に接続され、前記弾性体の下端が座ぐり溝を��り抜けて案内移動ブロックと固定的に接続し、前記滑り移動レバーの下端が筐体を通り抜けてレーザー彫刻端が固定的に接続され、前記配置台の上端面に均等に分布する多くのねじ回転構造が設置され、前記ねじ回転構造が前記配置台に設置される回転筐体を含み、前記回転筐体に回転ボルトと固定的に接続するギアDが設置され、前記ギアDの右側にそれと係合し接続するギアEが設置され、前記ギアEの中心にそれと固定的に接続する套管が設置され、前記套管の内部にねじ穴が設置され、前記ねじ穴にねじレバーが係合し接続され、前記ねじレバーの下端面に四角形溝が設置され、前記四角形溝に前記ねじレバーの下端面と固定的に接続する遮蔽板が滑り移動し係合され、その作用はねじレバーが上下に運動することを保証し、ねじレバーが回転し運動することを防ぎ、前記ねじレバーが配置台と接続する所に固定的に接続する固定連結板が設置され、前記弾性体の弾力が滑り移動レバーとレーザー彫刻端の重量の和より大きく、前記回転ボルトの上端に留め具が嵌着されることを特徴とする家庭用引出タンスの彫刻装置。
【手続補正２】
【補正対象書類名】明細書
【補正対象項目名】全文
【補正方法】変更
【補正の内容】
【発明の詳細な説明】
【技術分野】
【０００１】
本発明は引き出しタンス加工生産分野に関し、具体的には家庭用引出タンスの彫刻装置に関する。
【背景技術】
【０００２】
家庭用引き出しタンスを加工し生産する時に彫刻する必要があり、伝統的な彫刻装置が全方位に移動できなく、彫刻限定性が大きく、そして伝統的な彫刻装置が家庭用引き出しタンスを彫刻する時に固定しにくく、彫刻効果に深刻な影響がある。
【先行技術文献】
【特許文献】
【０００３】
【特許文献１】中国特許出願公開第101771245号明細書
【発明の概要】
【発明が解決しようとする課題】
【０００４】
本発明の目的は家庭用引出タンスの彫刻装置を提供し、上記の背景技術で説明した問題を解決する。
【課題を解決するための手段】
【０００５】
上記の目的を実現するため、本発明は下記の技術方案を採用する。家庭用引出タンスの彫刻装置は台座を含み、前記台座の内部に回転筐体が設置され、前記回転筐体の上端壁の左右両端に対称に滑り移動溝が設置され、前記滑り移動溝が回転筐体と配置台と連結し、前記配置台と台座が滑り移動溝を通じて摺動可能なように係合し接続し、前記回転筐体の前端壁に配置穴が設置され、前記配置穴の前端壁に第一電動機が固定的に接続され、前記配置穴の前端壁にスルーホールが設置され、前記スルーホールが配置穴と回転筐体をつなげ、前記第一電動機に前端がスルーホールを通り抜ける回転ピンAが動力が伝達可能なように接続され、前記回転ピンAの前端に固定的に接続する円錐形プーリーAが設置され、前記円錐形プーリーAにそれと係合し接続する円錐形プーリーBが設置され、前記円錐形プーリーBの中心にそれと固定し接続する回転ピンAが設置され、前記回転ピンAが回転筐体の左右両端壁と回転可能なように接続し、前記回転ピンAの一番左端に固定的に接続する第一同期輪が設置され、前記第一同期輪の前端にベルトを通じて駆動する第二同期輪が設置され、前記第二同期輪の中心にそれと固定し接続する回転ピンBが設置され、前記回転ピンAと回転ピンBに左右に対称にギアAが設置され、前記配置台の下端面に左右両端が対称的に二つのギア溝が設置され、前記ギアAがギア溝と転動し接続し、前記回転ピンAと回転ピンBに左右に対等にベアリングが設置され、前記台座の上端面の左右両端に対称的に支持レバーが設置され、前記支持レバーの上端面に二つのそれと固定的に接続する固定連結ブロックが設置され、前記固定連結ブロックに油圧溝が設置され、左側の油圧溝の上端面に油圧穴Aが設置され、右側の油圧溝の上端面に油圧穴Bが設置され、前記油圧穴Aと油圧穴Bに電気制御バルブが設置され、前記油圧穴Aと油圧穴Bに中空管が設置されそれらを連結し、前記中空管の中心に油圧ポンプが設置され、左右両側の油圧溝に押し柱が設置され、前記押し柱の中心に彫刻装置が固定的に接続し、前記彫刻装置が配置箱を含み、前記配置箱に筐体が設置され、前記筐体の上端面に第二電動機が設置され、前記第二電動機の下端に回転ピンBが設置され、前記回転ピンBの下端にそれと固定し接続する円錐形プーリーCが設置され、前記円錐形プーリーCの下にそれと係合し接続する円錐形プーリーDが設置され、前記円錐形プーリーDの中心にそれと固定的に接続する回転ピンCが設置され、前記回転ピンCが筐体の左右端壁と回転可能なように接続し、前記回転ピンCに前記円錐形プーリーDの左側に位置するギアBが固定的に取り付けられ、前記ギアBの下にそれと係合し接続するギアCが設置され、前記ギアCの中心にそれと固定的に接続する回転ピンDが設置され、前記回転ピンDが筐体の左右端壁と回転可能なように接続し、前記回転ピンDに前記ギアCの右側に位置するカムが固定的に取り付けられ、前記カムの下端面に滑り移動レバーが設置され、前記滑り移動レバーの上端に左右に対称的に案内移動ブロックが設置され、前記筐体の壁が案内移動ブロックと対応する位置に案内移動溝が設置され、前記案内移動ブロックが案内移動溝に位置し上下に滑り移動でき、前記案内移動溝の上端壁に座ぐり溝が設置され、前記座ぐり溝の上端壁に弾��体が固定的に接続され、前記弾性体の下端が座ぐり溝を通り抜けて案内移動ブロックと固定的に接続し、前記滑り移動レバーの下端が筐体を通り抜けてレーザー彫刻端が固定的に接続され、前記配置台の上端面に均等に分布する多くのねじ回転構造が設置され、前記ねじ回転構造が前記配置台に設置される回転筐体を含み、前記回転筐体に回転ボルトと固定的に接続するギアDが設置され、前記ギアDの右側にそれと係合し接続するギアEが設置され、前記ギアEの中心にそれと固定的に接続する套管が設置され、前記套管の内部にねじ穴が設置され、前記ねじ穴にねじレバーが係合し接続され、前記ねじレバーの下端面に四角形溝が設置され、前記四角形溝に前記ねじレバーの下端面と固定的に接続する遮蔽板が滑り移動し係合され、その作用はねじレバーが上下に運動することを保証し、ねじレバーが回転し運動することを防ぎ、前記ねじレバーが配置台と接続する所に固定的に接続する固定連結板が設置される。
【０００６】
好ましい技術方案として前記弾性体の弾力が滑り移動レバーとレーザー彫刻端の重量の和よりはるかに大きい。
【０００７】
好ましい技術方案として前記回転ボルトの上端に留め具が嵌着される。
【０００８】
現在の技術と比べ、本発明の有益な効果は、本発明が作業する時に、引き出しタンスを配置台の上に置いて、支持点がある所のねじ回転構造を選択し、回転ボルトを回転し、回転ボルトが回転しギアDとギアEと連動して回転し、これによりねじレバーと連動して下に移動し、留め具と固定連結板が挟持構造を形成し、引き出しタンスをしっかり固定し、引き出しタンスが加工される時に移動し、加工が失敗で引き起こす原材料の浪費を防ぎ、加工する過程の品質を有効的に保証でき、使用する時に、第一電動機が作業し、回転ピンAが回転し、円錐形プーリーAと円錐形プーリーBが係合し伝動し、回転ピンAと連動して回転し、これにより回転ピンAの二つの従動支持ギアと連動して回転し、ベルトを通じて回転ピンAが回転し第二同期輪と第一同期輪と連動して同じ方向に回転し、これにより回転ピンBと連動して回転し、回転ピンBが回転し回転ピンBの二つのギアAと連動して回転し、四つのギアAが同じ方向に回転し、配置台と連動して前後に移動し、油圧ポンプの作用で、電気制御バルブが開く状態になり、油圧溝の油圧の大きさの変化を実現し、押し柱の彫刻装置の左右移動と連動して、第二電動機が動作し、円錐形プーリーCと円錐形プーリーDが係合し伝動し、回転ピンCと連動して回転し、これによりギアBと連動して回転し、ギアBとギアCが噛み合い、ギアCが回転し、回転ピンDと連動して回転し、回転ピンDのカムと連動して回転し、カムと接触する滑り移動レバーがカムの回転と弾性体の弾性作用のもとで、案内移動ブロックを通じて、滑り移動レバーの昇降を実現し、滑り移動レバーと固定的に接続するレーザー彫刻端が昇降する。
【発明の効果】
【０００９】
現在の技術と比べ、本発明の有益な効果は、本発明が作業する時に、引き出しタンスを配置台の上に置いて、支持点がある所のねじ回転構造を選択し、回転ボルトを回転し、回転ボルトが回転しギアDとギアEと連動して回転し、これによりねじレバーと連動して下に移動し、留め具と固定連結板が挟持構造を形成し、引き出しタンスをしっかり固定し、引き出しタンスが加工される時に移動し、加工が失敗で引き起こす原材料の浪費を防ぎ、加工する過程の品質を有効的に保証でき、使用する時に、第一電動機が作業し、回転ピンAが回転し、円錐形プーリーAと円錐形プーリーBが係合し伝動し、回転ピンAと連動して回転し、これにより回転ピンAの二つの従動支持ギアと連動して回転し、ベルトを通じて回転ピンAが回転し第二同期輪と第一同期輪と連動して同じ方向に回転し、これにより回転ピンBと連動して回転し、回転ピンBが回転し回転ピンBの二つのギアAと連動して回転し、四つのギアAが同じ方向に回転し、配置台と連動して前後に移動し、油圧ポンプの作用で、電気制御バルブが開く状態になり、油圧溝の油圧の大きさの変化を実現し、押し柱の彫刻装置の左右移動と連動して、第二電動機が動作し、円錐形プーリーCと円錐形プーリーDが係合し伝動し、回転ピンCと連動して回転し、これによりギアBと連動して回転し、ギアBとギアCが噛み合い、ギアCが回転し、回転ピンDと連動して回転し、回転ピンDのカムと連動して回転し、カムと接触する滑り移動レバーがカムの回転と弾性体の弾性作用のもとで、案内移動ブロックを通じて、滑り移動レバーの昇降を実現し、滑り移動レバーと固定的に接続するレーザー彫刻端が昇降する。
【図面の簡単な説明】
【００１０】
【図１】図１は本発明の家庭用引出タンスの彫刻装置の全体の正面構造概略図である。
【図２】図２は本発明の家庭用引出タンスの彫刻装置の全体の台座の俯瞰構造概略図である。
【図３】図３は本発明の家庭用引出タンスの彫刻装置の彫刻装置の全体の正面構造概略図である。
【図４】図４は本発明の家庭用引出タンスの彫刻装置のねじ回転構造の全体の正面構造概略図である。
【発明を実施するための形態】
【００１１】
下記では本発明の実施例の中の図面を交え、本発明の実施例の技術方案を明確にはっきりと説明し、説明した実施例がただ本発明の一部分の実施例で、全部の実施例ではないということである。本発明の実施例に基づいて、本領域の当業者が創造的な労働を払わないことを前提に得る全部のその他の実施例は本発明の保護範囲に属する。
【００１２】
図1~4を参照し、本発明に係る実施例の家庭用引出タンスの彫刻装置は台座1を含み、前記台座1の内部に回転筐体2が設置され、前記回転筐体2の上端壁の左右両端に対称に滑り移動溝3が設置され、前記滑り移動溝3が回転筐体2と配置台4と連結し、前記配置台4と台座1が滑り移動溝3を通じて摺動可能なように係合し接続し、前記回転筐体2の前端壁に配置穴5が設置され、前記配置穴5の前端壁に第一電動機6が固定的に接続され、前記配置穴5の前端壁にスルーホール7が設置され、前記スルーホール7が配置穴5と回転筐体2をつなげ、前記第一電動機6に前端がスルーホール7を通り抜ける回転ピンA8が動力が伝達可能なように接続され、前記回転ピンA8の前端に固定的に接続する円錐形プーリーA9が設置され、前記円錐形プーリーA9にそれと係合し接続する円錐形プーリーB10が設置され、前記円錐形プーリーB10の中心にそれと固定し接続する回転ピンA11が設置され、前記回転ピンA11が回転筐体の左右両端壁と回転可能なように接続し、前記回転ピンA11の一番左端に固定的に接続する第一同期輪12が設置され、前記第一同期輪12の前端にベルトを通じて駆動する第二同期輪13が設置され、前記第二同期輪13の中心にそれと固定し接続する回転ピンB14が設置され、前記回転ピンA11と回転ピンB14に左右に対称にギアA15が設置され、前記配置台4の下端面に左右両端が対称的に二つのギア溝16が設置され、前記ギアA15がギア溝16と転動し接続し、前記回転ピンA11と回転ピンB14に左右に対等にベアリング17が設置され、前記台座1の上端面の左右両端に対称的に支持レバー18が設置され、前記支持レバー18の上端面に二つのそれと固定的に接続する固定連結ブロック19が設置され、前記固定連結ブロック19に油圧溝20が設置され、左側の油圧溝20の上端面に油圧穴A21が設置され、右側の油圧溝20の上端面に油圧穴B22が設置され、前記油圧穴A21と油圧穴B22に電気制御バルブ23が設置され、前記油圧穴A21と油圧穴B22に中空管24が設置されそれらを連結し、前記中空管24の中心に油圧ポンプ25が設置され、左右両側の油圧溝20に押し柱26が設置され、前記押し柱26の中心に彫刻装置27が固定的に接続し、前記彫刻装置27が配置箱28を含み、前記配置箱28に筐体29が設置され、前記筐体29の上端面に第二電動機30が設置され、前記第二電動機30の下端に回転ピンB31が設置され、前記回転ピンB31の下端にそれと固定し接続する円錐形プーリーC32が設置され、前記円錐形プーリーC32の下にそれと係合し接続する円錐形プーリーD33が設置され、前記円錐形プーリーD33の中心にそれと固定的に接続する回転ピンC34が設置され、前記回転ピンC34が筐体29の左右端壁と回転可能なように接続し、前記回転ピンC34に前記円錐形プーリーD33の左側に位置するギアB35が固定的に取り付けられ、前記ギアB35の下にそれと係合し接続するギアC36が設置され、前記ギアC36の中心にそれと固定的に接続する回転ピンD37が設置され、前記回転ピンD37が筐体29の左右端壁と回転可能なように接続し、前記回転ピンD37に前記ギアC36の右側に位置するカム38が固定的に取り付けられ、前記カム38の下端面に滑り移動レバー39が設置され、前記滑り移動レバー39の上端に左右に対称的に案内移動ブロック40が設置され、前記筐体29の壁が案内移動ブロック40と対応する位置に案内移動溝41が設置され、前記案内移動ブロック40が案内移動溝41に位置し上下に滑り移動でき、前記案内移動溝41の上端壁に座ぐり溝42が設置され、前記座ぐり溝42の上端壁に弾性体43が固定的に接続され、前記弾性体43の下端が座ぐり溝42を通り抜けて案内移動ブロック40と固定的に接続し、前記滑り移動レバー39の下端が筐体29を通り抜けてレーザー彫刻端44が固定的に接続され、前記配置台4の上端面に均等に分布する多くのねじ回転構造45が設置され、前記ねじ回転構造45が前記配置台4に設置される回転筐体47を含み、前記回転筐体47に回転ボルト46と固定的に接続するギアD48が設置され、前記ギアD48の右側にそれと係合し接続するギアE49が設置され、前記ギアE49の中心にそれと固定的に接続する套管56が設置され、前記套管56の内部にねじ穴50が設置され、前記ねじ穴50にねじレバー51が係合し接続され、前記ねじレバー51の下端面に四角形溝52が設置され、前記四角形溝52に前記ねじレバー51の下端面と固定的に接続する遮蔽板53が滑り移動し係合され、その作用はねじレバーが上下に運動することを保証し、ねじレバーが回転し運動することを防ぎ、前記ねじレバー51が配置台4と接続する所に固定的に接続する固定連結板54が設置される。
【００１３】
好ましくは、前記弾性体43の弾力が滑り移動レバー39とレーザー彫刻端44の重量の和よりはるかに大きく、これにより弾性体43が弾力の作用のもとで滑り移動レバー39とレーザー彫刻端44と連動して上昇する。
【００１４】
好ましくは、前記回転ボルト46の上端に留め具55が嵌着され、その作用は、留め具55と固定連結板54が挟持構造を形成し、引き出しタンスをしっかり固定し、引き出しタンスが加工される時に移動し、加工が失敗で引き起こす原材料の浪費を防ぎ、加工する過程の品質を有効的に保証できる。
【００１５】
具体的な使用方式において、本発明が作業する時に、引き出しタンスを配置台4の上に置いて、支持点がある所のねじ回転構造44を選択し、回転ボルト45を回転し、回転ボルト45が回転しギアD46とギアE47と連動して回転し、これによりねじレバー49と連動して下に移動し、留め具53と固定連結板52が挟持構造を形成し、引き出しタンスをしっかり固定し、引き出しタンスが加工される時に移動し、加工が失敗で引き起こす原材料の浪費を防ぎ、加工する過程の品質を有効的に保証でき、使用する時に、第一電動機6が作業し、回転ピンA8が回転し、円錐形プーリーA9と円錐形プーリーB10が係合し伝動し、回転ピンA11と連動して回転し、これにより回転ピンA11の二つの従動支持ギア15と連動して回転し、ベルトを通じて回転ピンA11が回転し第二同期輪13と第一同期輪12と連動して同じ方向に回転し、これにより回転ピンB14と連動して回転し、回転ピンB14が回転し回転ピンB14の二つのギアA15と連動して回転し、四つのギアAが同じ方向に回転し、配置台4と連動して前後に移動し、油圧ポンプ25の作用で、電気制御バルブ23が開く状態になり、油圧溝20の油圧の大きさの変化を実現し、押し柱26の彫刻装置27の左右移動と連動して、第二電動機30が動作し、円錐形プーリーC32と円錐形プーリーD33が係合し伝動し、回転ピンC34と連動して回転し、これによりギアB35と連動して回転し、ギアB35とギアC36が噛み合い、ギアC36が回転し、回転ピンD37と連動して回転し、回転ピンD37のカム38と連動して回転し、カム38と接触する滑り移動レバー39がカム38の回転と弾性体43の弾性作用のもとで、案内移動ブロック40を通じて、滑り移動レバー39の昇降を実現し、滑り移動レバー39と固定的に接続するレーザー彫刻端44が昇降する。
【００１６】
本分野の技術者にとって、本発明は上記の模範の実施例の細部に限らなく、本発明の意義また基本的な特徴から背離しない状況で、その他の具体的な形式で本発明を実現できる。それゆえ、どこから見てもこの実施例を模範で制限性ではないことと見なして、本発明の範囲は添付の特許請求の範囲に確定され、特許請求の範囲と同等の意味範囲内にある全部の変化を本発明に包括させる。特許請求の範囲の中の全ての符号を特許請求の範囲を制限することとみなさない。